(57)【要約】      （修正有）【課題】的に刺さらない矢等を用いても、的への命中が容易に判定でき、しかも所望の場所に簡単に設置できる遊具用の標的を提供する。【解決手段】平板状の的部２と該的部２から下方に延出する３本の脚部４１，４１，４２を備え、２本の脚部４１，４１を、的部２の裏面２２の両側端部に固定し、他の１本の脚部４２を、的部２の裏面２２であって、前記固定された２本の脚部４１，１４間の略中央に、ヒンジ５を用いて回動自在に設けた標的１。【選択図】 図２
0003133628.tif 000002
【実用新案登録請求の範囲】
【請求項１】
平板状の的部と該的部から下方に延出する３本の脚部を備え、３本の脚部のうち、１本又は２本の脚部を的部に回動自在に設けたことを特徴とする標的。
【請求項２】
２本の脚部を、的部の裏面の両側端部に固定し、他の１本の脚部を、的部の裏面であって、前記固定された２本の脚部間の略中央に、回動自在に設けたことを特徴とする請求項１記載の標的。
【請求項３】
前記的部に回動自在に設けられた脚部の開動を止めるストッパーを設けたことを特徴とする請求項１又は２記載の標的。
【請求項４】
前記的部に回動自在に設けた脚部は、上端をヒンジにより固定され、該ヒンジは、柔軟性を有する薄板を用いて、前記的部に固定される固定部と、該固定部から下方に延設した、二等辺三角形の頂点を下に向けた三角形状の回動部で構成し、該脚部を、前記二等辺三角形の頂点上を通るように回動部に固定したことを特徴とする請求項１から３のうち何れか記載の標的。
【考案の詳細な説明】
【技術分野】
【０００１】
本考案は標的に関し、詳しくは、パチンコや弓矢を用いた的当て遊戯等に使用する標的に関する。
【背景技術】
【０００２】
古来より日本では弓術が盛んに行われ、その伝統は素晴らしく、格式は極めて高いものである。そして、弓術は素晴らしい飛翔感と命中感を与えてくれるものである。
【０００３】
しかし、この弓術は矢の先端が鋭く危険であり、弓は強力な腕力を必要とする武術であるので、特定の者のみが弓道場等の特定の場所で行うことしか出来なかった。
【０００４】
そこで、本考案者が弓術の素晴らしい飛翔感と命中感を与えてくれる遊具、具体的には、図４に示すように、握り部８１の上部に台部８２を有し、台部８２には溝８３が設けられ、溝８３に柔軟性を有する長尺のゴム８４の両端を挟み込んで固定したＴ字型の発射器８と、先端にゴム等の弾力性且つ軟性のある円形或いは楕円形の矢部７２を有する棒体７１で構成される矢７から構成され、矢７を、台部８２のガイド溝８５に棒体７１を案内させて、ゴム８４と共に矢７を引いて、発射する遊具を考案し、矢の危険性を除去し、腕力がない者であっても容易に操作して、矢の発射が出来、身近な場所で、安全に楽しめるように提案している。
【考案の開示】
【考案が解決しようとする課題】
【０００５】
しかし、弓術の的は、矢が刺さり易く、刺さった状態を維持可能なように、少なくとも１０ｃｍ程度の厚みを有すると共に、地面等に固定されており、この的を上記遊具に用いた場合、該遊具の矢は的に刺さらずに、跳ね返るので、的に矢が当ったか否かが容易に判定できないという欠点があった。
【０００６】
又、弓道場ではなく、身近な川原、広場、空き地等でパチンコや弓矢を用いた的当て遊戯をする場合に、所望の場所に的をある程度の高さに設置することが困難であった。更に、従来の厚みのある的を運搬するのは、厚みがあり嵩張るので、不便であった。
【０００７】
そこで、本考案は、上記従来の的の欠点を解消し、的に刺さらない矢等を用いても、的への命中が容易に判定でき、しかも所望の場所に簡単に設置できる遊具用の標的を提供することを目的とし、更に、運搬が容易な標的を提供することを目的とする。
【課題を解決するための手段】
【０００８】
上記課題を解決するための本考案は、平板状の的部と該的部から下方に延出する３本の脚部を備え、３本の脚部のうち、１本又は２本の脚部を的部に回動自在に設けたことを特徴とする標的である。
【０００９】
又、前記標的において、２本の脚部を、的部の裏面の両側端部に固定し、他の１本の脚部を、的部の裏面であって、前記固定された２本の脚部間の略中央に、回動自在に設けたことを特徴とする標的である。
【００１０】
又、前記標的において、前記的部に回動自在に設けられた脚部の開動を止めるストッパーを設けたことを特徴とする標的である。
【００１１】
又、前記標的において、前記的部に回動自在に設けた脚部は、上端をヒンジにより固定され、該ヒンジは、柔軟性を有する薄板を用いて、前記的部に固定される固定部と、該固定部から下方に延設した、二等辺三角形の頂点を下に向けた三角形状の回動部で構成し、該脚部を、前記二等辺三角形の頂点上を通るように回動部に固定したことを特徴とする標的である。
【考案の効果】
【００１２】
以上のような本考案によれば、遊具用の標的において、的に刺さらない矢等を用いても、的への命中を容易に判定することが可能となった。しかも所望の場所に簡単に設置することが可能となった。更に、遊具用の標的において、運搬が容易となった。
【考案を実施するための最良の形態】
【００１３】
以下本考案の実施の形態を図に従って説明する。標的１はパチンコや弓矢を用いた的当て遊戯に用いられる的であり、的部２及び的部２から下方に延出する３本の脚部４１，４１，４２を備えて構成されている。
【００１４】
的部２は正方形の平板状で、表面２１に動物の絵の模様３が画かれている。的部２の正方形の面積は、特に限定されず、遊戯をする者の年齢、技量等により適宜の面積に設定することが出来る。又、その表面２１に描かれた模様３は、動物の絵に限定されず、弓道の的のように大きさが異なる同心円を複数描いたものでもよく、全く模様がないものでもよい。このような模様３は、的部２の表面２１に直接描いてもよいが、紙等に模様を描き、的部２の表面２１に貼付することとしてもよい。又、的部２の形状は正方形に限定されず、円形や動物の形状等で形成してもよい。
【００１５】
脚部４１，４１は的部２の裏面２２の両側端部に釘や螺子或いは接着剤等を用いて固定され、脚部４２は的部２の裏面２２であって、脚部４１，４１間の略中央に、上端をヒンジ５により固定され、的部２に回動自在に設けられている。脚部４２は的部２と直交方向に離間するように回動自在に設けられている。的部２は、脚部４２を開脚して、３本の脚部４１，４１，４２の底部で三角形を構成して保持されている。このように３本の脚部は折畳んだ際に平面上に位置するので、標的１を重ねて保存、運搬等する際に嵩張らず、便利である。
【００１６】
又、３本の脚部のうち、２本の脚部４１，４１を的部２に固定し、１本の脚部４２を的部２に回動自在に設けたが、的部２の裏面２２の両側端部に設ける２本の脚部４１，４１をヒンジにより的部２に回動自在に設け、該回動自在の脚部４１，４１の略中央に、的部２に固定された１本の脚部４２を設ける構成としてもよい。
【００１７】
又、脚部４１，４１，４２はその上部において、的部２の裏面２２に固定し或いは回動自在に設けているが、的部２の底端部に固定し或いは回動自在に設けてもよく、的部２に固定する脚部４１，４１は的部２の表面２１に固定してもよい。
【００１８】
的部２に固定する脚部４１，４１は、安定的な的部２の支持のために、少なくとも平行、好ましくは下方に広がるように設けることが望ましい。
【００１９】
３本の脚部４１，４１，４２の長さは特に限定されないが、的部２の下端が設置面から７０から８０ｃｍ程度の高さに位置するような高さとすることが好ましい。
【００２０】
ヒンジ５は金属製のものを用いてもよいが、ゴムや合成樹脂の薄板、皮、布等の柔軟性を有する薄い素材を用いて、的部２に接着剤等で固定される上部の長方形の固定部５１と、固定部５１から下方に延設した、二等辺三角形の頂点を下に向けた三角形状の回動部５２で構成したヒンジ５を用いることも出来る。この場合、脚部４２を、前記二等辺三角形の頂点上を通るように回動部５２に固定して、脚部４２が、左右にぶれずに的部２と直交方向に離間するようにしている。ヒンジ５をこのような構成とすることで、標的１の軽量化を図ることが出来る。
【００２１】
脚部４２は回動部５２に接着剤等で固定されている。又、的部２に回動自在に設けられた脚部４２の開動を止めるストッパー６を設けることで、安定的に標的１を支持することが可能となる。ストッパー６の構成は特に限定されず、脚部４２に設けた孔４７及び的部２に設けた孔２７，２７に紐６１を通して環状にして構成することが出来る。
【００２２】
的部２及び脚部４１，４１，４２の素材は特に限定されないが、運搬の便利のため、軽量な合成樹脂、木等で形成することが好ましい。
【００２３】
次にその使用について説明する。運搬時は図３に示すように脚部４２を畳んで的部２に着接し、脚部４１，４１，４２を一平面上に位置させる。次に脚４２を回動させて、脚部４１，４１，４２を三脚状にして的部２を支持して、標的１を設置する。このように、所望の場所に簡単に設置できる。
【００２４】
標的１を用いて的あて遊戯を行う際には、例えば、図４に示すような、握り部８１の上部に台部８２を有したＴ字型の発射器８を用いる。この発射器８の台部８２には溝８３が設けられ、溝８３に柔軟性を有する長尺のゴム８４の両端を挟み込んで固定している。又、先端にゴム等の弾力性且つ軟性のある円形或いは楕円形の矢部７２を有する棒体７１で構成される矢７を用いる。矢７は、台部８２のガイド溝８５に棒体７１を案内させて、ゴム８４と共に矢７を引いて、標的１の表面２１に向けて発射する。
【００２５】
標的１に矢７が命中すると、標的１は簡単に倒れ、容易に当りはずれを判定することが出来る。使用後には、脚４２を回動させて、畳むことが出来るので、運搬が容易である。
【００２６】
この標的１は、上記発射器８及び矢７で構成される遊具と共に使用するのみならず、ボール等での的あての的、パチンコの的等様々な遊戯の的とすることが出来る。
【図面の簡単な説明】
【００２７】
【図１】本考案一実施例斜め前から見た斜視図
【図２】本考案一実施例斜め後ろから見た斜視図
【図３】本考案一実施例折りたたんだ状態の側面図
【図４】本考案標的と共に用いられる弓矢遊具の斜視図
【符号の説明】
【００２８】
１    標的
２    的部
２１  表面
２２  裏面
３    模様
４１  脚部
４２  脚部
５    ヒンジ
５１  固定部
５２  回動部
６    ストッパー
【図１】
0003133628.tif 000003
【図２】
0003133628.tif 000004
【図３】
0003133628.tif 000005
【図４】
0003133628.tif 000006